(57)【特許請求の範囲】
【請求項１】
農地土壌に含まれる汚染物質の回収装置であって、
トラクタと、
前記トラクタに取り付けられた代掻き機と、
前記トラクタと共に移動するように前記代掻き機の後方において固定された集水樋と、
前記集水樋に流入した水を吸引する吸引装置とを備え、
前記集水樋は、前記代掻き機の幅方向に沿って延びるように形成された、両端部が閉じられた筒状の形状を有し、外側面の一部に水が流入する開口部が形成され、
前記集水樋は、前記開口部の一部が水中に浸漬するような高さで、前記開口部の下端が当該集水樋の最下点よりも高い位置となるように、かつ、前記開口部が前方を向くように固定され、
前記集水樋の底部には、幅方向に沿って延びるスリットが形成され、
前記吸引装置は、前記両端部のうち、少なくとも一端部から水を吸引するように構成されている、汚染物質の回収装置。
【請求項２】
前記代掻き機の後部に整流カバーが取り付けられ、
前記整流カバーには、幅方向に沿って所定の間隔で設けられた整流口が形成されている、請求項１に記載の汚染物質の回収装置。
【請求項３】
農地土壌に含まれる汚染物質の回収装置であって、
トラクタと、
前記トラクタに取り付けられた代掻き機と、
前記トラクタと共に移動するように前記代掻き機の後方において固定された集水樋と、
前記集水樋に流入した水を吸引する吸引装置とを備え、
前記代掻き機の後部には、整流カバーが取り付けられ、
前記整流カバーには、幅方向に沿って所定の間隔で設けられた整流口が形成され、
前記集水樋は、前記代掻き機の幅方向に沿って延びるように形成された、両端部が閉じられた筒状の形状を有し、外側面の一部に水が流入する開口部が形成され、
前記集水樋は、前記開口部の一部が水中に浸漬するような高さで、前記開口部の下端が当該集水樋の最下点よりも高い位置となるように、かつ、前記開口部が前方を向くように固定され、
前記吸引装置は、前記両端部のうち、少なくとも一端部から水を吸引するように構成されている、汚染物質の回収装置。
【請求項４】
前記代掻き機の後部に整流カバーが取り付けられ、
前記整流カバーには、水中の植物残渣を除去する除草フィンが設けられている、請求項１〜３のいずれか一項に記載の汚染物質の回収装置。
【請求項５】
農地土壌に含まれる汚染物質の回収装置であって、
トラクタと、
前記トラクタに取り付けられた代掻き機と、
前記トラクタと共に移動するように前記代掻き機の後方において固定された集水樋と、
前記集水樋に流入した水を吸引する吸引装置とを備え、
前記代掻き機の後部には、整流カバーが取り付けられ、
前記整流カバーには、水中の植物残渣を除去する除草フィンが設けられ、
前記集水樋は、前記代掻き機の幅方向に沿って延びるように形成された、両端部が閉じられた筒状の形状を有し、外側面の一部に水が流入する開口部が形成され、
前記集水樋は、前記開口部の一部が水中に浸漬するような高さで、前記開口部の下端が当該集水樋の最下点よりも高い位置となるように、かつ、前記開口部が前方を向くように固定され、
前記吸引装置は、前記両端部のうち、少なくとも一端部から水を吸引するように構成されている、汚染物質の回収装置。
【請求項６】
前記集水樋を周方向に回転させる回転機構を備えている、請求項１〜５のいずれか一項に記載の汚染物質の回収装置。
【請求項７】
前記代掻き機と前記集水樋との距離を調節する距離調節機構を備えている、請求項１〜６のいずれか一項に記載の汚染物質の回収装置。
【請求項８】
前記集水樋の設置高さを調節する高さ調節機構を備えている、請求項１〜７のいずれか一項に記載の汚染物質の回収装置。
【請求項９】
前記集水樋は、円筒状に形成されている、請求項１〜８のいずれか一項に記載の汚染物質の回収装置。
【請求項１０】
前記汚染物質は、重金属または放射性物質である、請求項１〜９のいずれか一項に記載の汚染物質の回収装置。
【発明の詳細な説明】
【技術分野】
【０００１】
本発明は、農地土壌に含まれる放射性物質や重金属等の回収装置に関するものである。
【背景技術】
【０００２】
放射性セシウム等の放射性物質や鉛、亜鉛、カドミウム、水銀等の重金属が農地土壌に拡散した場合、食料生産の基盤である農地土壌を安全に保つためには、それらの汚染物質を農地土壌から除去することが必要となる。
【０００３】
特許文献１には、水を供給した圃場を代掻き機で撹拌し、土壌粒子を含む泥水を吸引する装置が開示されている。特許文献１の装置では、吸引ノズルの先端を泥水中に浸漬させて上方から泥水を吸引している。吸引された泥水は固液分離処理がなされ、これにより汚染物質が付着した土壌粒子が回収される。
【先行技術文献】
【特許文献】
【０００４】
【特許文献１】特許第５２７８８８５号
【発明の概要】
【発明が解決しようとする課題】
【０００５】
しかしながら、特許文献１に記載された装置では、泥水に含まれる粒径０．０７５ｍｍ以下の細粒の土壌粒子（以下、「細粒子」という）と共に、粒径０．０７５ｍｍを超える粗粒の土壌粒子（以下、「粗粒子」という）も多く吸引されてしまう。泥水中に含まれる粗粒子の量が多いと、吸引した泥水の後処理設備に設けられる分級装置や脱水装置等が大掛かりなものとなってしまう。
【０００６】
汚染物質の回収作業が行われる圃場においては、分級装置や脱水装置の設置場所が限られており、これらの装置が大掛かりなものになると、各装置を適切に配置できないおそれがある。また、山間地にある圃場に分級装置や脱水装置の機材を持ち込む場合に、機材の移動が困難となる。
【０００７】
これに対し、特許文献１の装置において、吸引ノズルの吸引力を小さくし、粗粒子の回収量を減少させることも考えられる。しかし、その場合には粗粒子に比べて汚染物質が付着しやすい細粒子の回収量も減少してしまい、農地土壌の汚染物質を十分に除去することができない。このため、細粒子の回収能力を維持しつつ、粗粒子の回収量のみを減少させる技術が求められる。
【０００８】
本発明は、上記事情に鑑みてなされたものであり、農地土壌の汚染物質の除去設備において、細粒子に対する粗粒子の回収比率を下げ、分級装置や脱水装置等を小型化することを目的とする。
【課題を解決するための手段】
【０００９】
上記課題を解決する本発明は、農地土壌に含まれる汚染物質の回収装置であって、トラクタと、前記トラクタに取り付けられた代掻き機と、前記トラクタと共に移動するように前記代掻き機の後方において固定された集水樋と、前記集水樋に流入した水を吸引する吸引装置とを備え、前記集水樋は、前記代掻き機の幅方向に沿って延びるように形成された、両端部が閉じられた筒状の形状を有し、外側面の一部に水が流入する開口部が形成され、前記集水樋は、前記開口部の一部が水中に浸漬するような高さで、前記開口部の下端が当該集水樋の最下点よりも高い位置となるように、かつ、前記開口部が前方を向くように固定され、前記集水樋の底部には、幅方向に沿って延びるスリットが形成され、前記吸引装置は、前記両端部のうち、少なくとも一端部から水を吸引するように構成されていることを特徴とする。または、農地土壌に含まれる汚染物質の回収装置であって、トラクタと、前記トラクタに取り付けられた代掻き機と、前記トラクタと共に移動するように前記代掻き機の後方において固定された集水樋と、前記集水樋に流入した水を吸引する吸引装置とを備え、前記代掻き機の後部には、整流カバーが取り付けられ、前記整流カバーには、幅方向に沿って所定の間隔で設けられた整流口が形成され、前記集水樋は、前記代掻き機の幅方向に沿って延びるように形成された、両端部が閉じられた筒状の形状を有し、外側面の一部に水が流入する開口部が形成され、前記集水樋は、前記開口部の一部が水中に浸漬するような高さで、前記開口部の下端が当該集水樋の最下点よりも高い位置となるように、かつ、前記開口部が前方を向くように固定され、前記吸引装置は、前記両端部のうち、少なくとも一端部から水を吸引するように構成されていることを特徴とする。または、農地土壌に含まれる汚染物質の回収装置であって、トラクタと、前記トラクタに取り付けられた代掻き機と、前記トラクタと共に移動するように前記代掻き機の後方において固定された集水樋と、前記集水樋に流入した水を吸引する吸引装置とを備え、前記代掻き機の後部には、整流カバーが取り付けられ、前記整流カバーには、水中の植物残渣を除去する除草フィンが設けられており、前記集水樋は、前記代掻き機の幅方向に沿って延びるように形成された、両端部が閉じられた筒状の形状を有し、外側面の一部に水が流入する開口部が形成され、前記集水樋は、前記開口部の一部が水中に浸漬するような高さで、前記開口部の下端が当該集水樋の最下点よりも高い位置となるように、かつ、前記開口部が前方を向くように固定され、前記吸引装置は、前記両端部のうち、少なくとも一端部から水を吸引するように構成されていることを特徴とする。
【００１０】
本発明に係る集水樋には、水面からの深さが浅い位置に多く存在する細粒子を含む泥水が流入しやすい。一方で、底面付近に多く存在する粗粒子を含む泥水は集水樋に流入しにくい。このため、集水樋に流入した泥水には細粒子が多く含まれており、この泥水を吸引することで、粗粒子に対する細粒子の回収量を多くすることができる。即ち、細粒子に対する粗粒子の回収比率を下げることができる。
【発明の効果】
【００１１】
本発明によれば、細粒子に対する粗粒子の回収比率を下げることができる。これにより、農地土壌の汚染物質の除去設備に設けられる分級装置や脱水装置等を小型化することができる。
【図面の簡単な説明】
【００１２】
【図１】本発明の実施形態に係る回収装置の概略構成を示す側面図である。
【図２】本発明の実施形態に係る代掻き機と集水樋の概略構成を示す斜視図である。
【図３】本発明の実施形態に係る集水樋の形状を示す斜視図である。
【図４】本発明の実施形態に係る集水樋の基本状態を示す説明図である。
【図５】本発明の実施形態に係る集水樋の回転状態を示す説明図である。
【図６】本発明の実施形態に係る集水樋の回転状態を示す説明図である。
【図７】図３中のＺ方向から見た矢視図である。
【図８】本発明の実施形態に係る整流カバーの概略構成を示す図２中のＡ−Ａ断面図である。
【図９】集水樋のスリットの有無と泥水回収量の関係を示す図である。
【図１０】集水樋のスリットの有無と細粒子回収量の関係を示す図である。
【図１１】集水樋の開口部設定角度と細粒子回収比率の関係を示す図である。
【図１２】集水樋の開口部設定角度と細粒子回収量の関係を示す図である。
【図１３】整流カバーの有無と除草回収量の関係を示す図である。
【図１４】整流カバーの有無と細粒子回収比率の関係を示す図である。
【発明を実施するための形態】
【００１３】
以下、本発明の実施形態について、図面を参照しながら説明する。なお、本明細書および図面において、実質的に同一の機能構成を有する要素においては、同一の符号を付することにより重複説明を省略する。
【００１４】
図１に示すように、本実施形態に係る汚染物質の回収装置１は、トラクタ２０と、トラクタ２０の後部に取り付けられた代掻き機３０と、塩化ビニル等で形成された集水樋２を備えている。
【００１５】
本実施形態における集水樋２は、開口部２ａの一部が水中に浸漬する状態で、開口部２ａが前方に向いており、かつ、開口部２ａの下端ＨＬが当該集水樋２の最下点Ｐよりも高い位置となるように固定されている。
【００１６】
図２，図３に示すように、集水樋２は、代掻き機３０の幅方向Ｗに延びるように円筒状に形成されている。また、集水樋２は、両端部が塩化ビニル等から成るキャップ３で覆われており、両端部が閉じられた状態となっている。また、集水樋２の外周面には、幅方向Ｗに沿って延びる３つの開口部２ａが設けられている。開口部２ａは、縦断面視において集水樋２を扇状にくり抜くように形成されている。
【００１７】
各開口部２ａ間には、ＳＰＨＣ等から成る円環状のサポート部材４が設けられている。各サポート部材４は、集水樋２の外周面を覆うように取り付けられている。図２に示すように、各サポート部材４には、周方向Ｃに沿って所定の間隔でピン穴４ａが形成されている。また、サポート部材４に覆われている部分の集水樋２の外周面にも周方向Ｃに沿って所定の間隔でピン穴（不図示）が形成されている。集水樋２のピン穴（不図示）とサポート部材４のピン穴４ａは、互いの穴位置が合った状態となっており、その状態でピン穴４ａにピン（不図示）が挿入されている。これにより、集水樋２の周方向Ｃの位置が固定されている。本実施形態においては、開口部２ａが代掻き機３０に対向するように前方を向いた状態で固定されている。
【００１８】
なお、サポート部材４のピン穴４ａに集水樋２の異なるピン穴（不図示）を合わせることで、図４〜図６に示すように、集水樋２を周方向Ｃに回転させることができる。このような集水樋２の回転機構を備えることにより、開口部２ａの向きを調節することができる。
【００１９】
各サポート部材４には、角パイプ（以下、「サポートパイプ５」）が設けられており、サポートパイプ５の一端が一方のサポート部材４に取り付けられ、他端は他方のサポート部材４に取り付けられている。また、サポートパイプ５の両端部にも、それぞれ角パイプ（以下、「第１アーム６」という）が設けられており、各第１アーム６は、集水樋２の前方に突出するような状態でサポートパイプ５に溶接されている。
【００２０】
一方、代掻き機３０にはブラケット７が取り付けられている。ブラケット７には、角パイプ（以下、「第２アーム８」という）の一端がボルトで固定されており、第２アーム８は、後方に突出するような状態となっている。第２アーム８の中央部にも角パイプ（以下、「中央パイプ９」という）が設けられており、中央パイプ９の端部は、各第２アーム８に溶接されている。
【００２１】
第２アーム８の幅方向Ｗの外側面には、第１アーム６よりサイズの大きい角パイプ（以下、「アーム連結パイプ１０」という）が設けられており、第１アーム６はアーム連結パイプ１０に嵌め込まれた状態となっている。アーム連結パイプ１０の上面および下面には、第２アーム８の長手方向に沿って所定の間隔でピン穴１０ａが形成されている。また、第１アーム６の上面および下面にも、第１アーム６の長手方向に沿って所定の間隔で複数のピン穴６ａが形成されている。第１アーム６のピン穴６ａおよびアーム連結パイプ１０のピン穴１０ａは、互いの穴位置が合った状態となっており、その状態でピン（不図示）が挿入されている。これにより、第１アーム６が固定され、集水樋２の前後位置が規定される。
【００２２】
なお、アーム連結パイプ１０のピン穴１０ａに第１アーム６の異なるピン穴６ａを合わせることで、代掻き機３０と集水樋２の距離を変更することができる。このような距離調節機構を備えることにより、最適な条件で汚染物質を回収できるように代掻き機３０と集水樋２との距離を調節することができる。
【００２３】
図２に示すように、中央パイプ９には、油圧シリンダー１１が取り付けられている。これにより、第２アーム８の一端とブラケット７との固定点を回転軸として、集水樋２の設置高さを変更することができる。このような高さ調節機構を備えることにより、最適な条件で汚染物質を回収できるように集水樋２の高さを調節することができる。
【００２４】
また、回収装置１は、集水樋２の両端部から泥水を吸引する吸引装置４０を備えている。吸引装置４０は、キャップ３を貫通するように設けられた吸引管４１（図３）と、集水樋２の外部において吸引管４１に接続する吸引ホース４２と、吸引ホース４２が接続される真空吸引器４３で構成されている。本実施形態においては、集水樋２の一端部にのみ吸引ホース４２が接続されている。
【００２５】
図８に示すように、代掻き機３０は、土壌を攪拌する攪拌レーキ３１と、攪拌レーキ３１を覆う整流カバー３２を備えている。図８に示すように、整流カバー３２にはスプリング３３が取り付けられており、整流カバー３２の開閉量を調節できるように構成されている。
【００２６】
また、図２，図８に示すように、整流カバー３２には、幅方向Ｗに沿って所定の間隔で開口（以下、「整流口３２ａ」という）が形成されている。圃場に供給された水は、攪拌レーキ３１により流れ（図８中の破線矢印）が乱れるが、整流口３２ａを通過させることで水流の乱れを抑制することができる。また、整流カバー３２の下端部には、下方に向かって突出する除草フィン３４が設けられており、除草フィン３４は、幅方向Ｗに沿って形成されている。除草フィン３４により植物残渣を除去することができる。
【００２７】
本実施形態に係る汚染物質の回収装置１は以上のように構成されている。なお、上記の説明では、回収装置１のその他の部品や固定方法については説明していないが、回収装置１は、稼働中に不具合が生じないように適宜部品が取り付けられている。
【００２８】
次に、上記回収装置１を用いた汚染物質の回収方法について説明する。
【００２９】
まず、汚染物質回収対象の圃場に河川やため池等から水を供給する。その後、図１に示すように、圃場内においてトラクタ２０を走行させ、代掻き機３０で土壌を攪拌する。これにより、圃場に供給された水が、粗粒子と細粒子を含む泥水となる。泥水は、代掻き機３０の後方に流れていき、集水樋２に到達する。泥水中の土壌粒子のうち、粗粒子は自重によって沈みやすく、一方で細粒子は沈みにくい状態にある。即ち、泥水が集水樋２に到達するまでの間に、粗粒子は底面に向かって沈んでいき、集水樋２の開口部２ａ付近においては細粒子の比率が大きくなっている。
【００３０】
集水樋２に到達した泥水は、集水樋２の開口部２ａから集水樋内部に流入する。集水樋２は、開口部２ａの下端ＨＬが集水樋２の最下点Ｐよりも上方に位置した状態で固定されていることにより、底面付近の泥水が集水樋２に流入しにくい状態にある。このため、集水樋２には、細粒子の比率が大きい水面付近の泥水が流入することになる。
【００３１】
その後、集水樋２に流入した泥水が吸引され、固液分離処理等がなされることによって汚染物質が付着した土壌粒子が回収される。前述の通り、集水樋内には細粒子が多く含まれた泥水が流入しているため、回収される土壌粒子は細粒子の比率が大きくなっている。
【００３２】
即ち、本実施形態に係る汚染物質の回収装置１によれば、細粒子に対する粗粒子の回収比率を下げることができる。これにより、吸引された泥水の後処理を行う分級装置や脱水装置等を小型化することができ、汚染物質の除去設備の汎用性を向上させることができる。
【００３３】
なお、集水樋内に流入する泥水には細粒子が多く含まれるが、少量ながら粗粒子も含まれている。この粗粒子を含む泥水も吸引ホース４２で吸引されることになるが、粗粒子の一部が集水樋２の底部に堆積することもある。このため、回収装置１を長時間稼働させると、集水樋２の粗粒子が堆積していき、集水樋への泥水の流入が阻害されたり、吸引管４１の詰まりが発生するおそれがある。これにより、細粒子の回収量が減少するおそれがある。
【００３４】
一方、本実施形態においては、図３に示すように、集水樋２の底部にスリット２ｂが形成されている。これにより、集水樋内における粗粒子の堆積を防ぐことができる。これにより、細粒子の回収能力の低下を抑制することができる。また、堆積した粗粒子を除去する等のメンテナンス頻度も少なくすることができるため、回収装置１を長時間稼働させることが可能となる。
【００３５】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００３６】
例えば、上記実施形態では、集水樋２の一端部から泥水を吸引することとしたが、集水樋２の両端部から吸引しても良い。また、上記実施形態では、集水樋内の泥水を吸引する吸引装置４０を吸引管４１と吸引ホース４２と真空吸引器４３で構成することとしたが、吸引装置４０の構造はこれに限定されない。例えば、吸引管４１に代えて吸引ノズルを設けても良い。即ち、吸引装置４０は、集水樋２の幅方向端部のうち、少なくとも一端部から泥水を吸引する構造であれば、粗粒子の回収比率を下げるといった効果を享受することができる。
【００３７】
また、上記実施形態では、集水樋２の形状を円筒状としたが、集水樋２の形状はこれに限定されない。例えば、縦断面が方形状あるいは非対称形状の筒状であっても良い。即ち、集水樋２は、代掻き機３０の幅方向Ｗに延びるように筒状に形成され、外側面に開口部が形成されていれば良い。このような集水樋であっても、開口部の下端が集水樋の最下点よりも上方に位置する状態で固定されていれば、粗粒子が多く存在する底面付近の泥流の流入を抑制することができる。これにより、粗粒子の回収比率を下げることができる。また、集水樋２とキャップ３は一体物として形成されていても良い。開口部２ａの数も上記実施形態で説明したものに限定されない。
【００３８】
また、上記実施形態では、集水樋２にスリット２ｂを設けることとしたが、スリット２ｂは設けなくても良い。この場合であっても、集水樋内部の粗粒子の堆積量が多くなるまでは、回収装置１は通常通りに機能する。ただし、集水樋２の底部に粗粒子の逃がし穴を設けた方が好ましい。また、逃がし穴は小径の穴を複数設けるよりも、幅方向Ｗに沿って延びるようなスリット状の穴を設けることが好ましい。これにより、集水樋内において粗粒子が堆積しにくくなり、細粒子の回収能力を維持することができる。
【００３９】
また、上記実施形態では、集水樋２を周方向Ｃに回転させる回転機構と、代掻き機３０と集水樋２との距離を調節する距離調節機構と、集水樋２の設置高さを調節する高さ調節機構を設けたが、これらの機構は上記実施形態で説明した構造に限定されない。なお、回転機構、距離調節機構、高さ調節機構を設けることは必須ではない。ただし、これらの機構を適宜備えることにより、トラクタ２０や代掻き機３０の仕様、土壌の粘度等に応じて集水樋２の位置や姿勢を調節することができる。これにより、回収装置１の汎用性が向上すると共に、より効率良く細粒子を回収することができる。
【００４０】
また、上記実施形態では、集水樋２を代掻き機３０に取り付ける構造としたが、例えばトラクタ２０に取り付ける構造としても良い。即ち、集水樋２は、トラクタ２０の移動に伴い、トラクタ２０の移動方向と同一方向に移動できるように代掻き機３０の後方で固定された構造となっていれば良い。
【実施例１】
【００４１】
本発明に係る汚染物質の回収装置（回収装置Ａ）と、従来の汚染物質の回収装置を用いて土壌粒子の回収実験を実施した。
【００４２】
回収装置Ａは、図１に示すような代掻き機の後方において集水樋を設ける構成である。ただし、回収装置Ａの集水樋には、スリットは形成されていない。また、回収装置Ａの代掻き機の整流カバーは上げられており、攪拌レーキが整流カバーで覆われていない状態となっている。また、集水樋の扇状の開口部は、中心角が１２０°となるように形成されている。代掻き機と集水樋との距離は１０５ｃｍに設定され、集水樋は、開口部の下端が底面（攪拌後の土壌表面）から１５０ｍｍ、水面から３０ｍｍに位置するように固定されている。
【００４３】
一方、従来の回収装置は、特許文献１に記載されたような回収装置であり、代掻き機の後方に集水樋を設けずに、吸引ノズルによって上方から直接泥水を吸引する構成である。
【００４４】
上記の回収装置Ａおよび従来の回収装置で回収された泥水の分析を行った。その結果を表１に示す。なお、トラクタは１．６ｍ／ｍｉｎで走行させた。
【００４５】
【表１】
0006508822.tif 000002
【００４６】
表１に示すように、回収装置Ａは、従来の回収装置に対して単位時間あたりの泥水回収量が減少した。しかしながら、単位時間あたりの細粒子回収量は両者に差がなく、回収装置Ａにおいては効率良く細粒子を回収できたことがわかる。また、回収した土壌粒子の粒径分布を測定すると、回収装置Ａにおいては、細粒子（０．０７５ｍｍ以下の土壌粒子）の比率が９５．５％に達した。一方で、従来の回収装置においては、粗粒子（０．０７５ｍｍを超える土壌粒子）の比率が細粒子よりも大きかった。
【００４７】
実施例１に示すように、本発明に係る汚染物質の回収装置によれば、従来の回収装置と同様の細粒子回収能力を維持しつつ、粗粒子の回収比率を下げることができる。換言すると、従来の回収装置と同様の細粒子回収能力を維持しつつ、分級装置や脱水装置等を小型化することが可能となる。
【実施例２】
【００４８】
集水樋の底部に複数の穴を設けた回収装置Ｂと、集水樋の底部に幅方向に延びるスリットを設けた回収装置Ｃを用いて土壌粒子の回収実験を実施した。集水樋以外の構造は回収装置Ａと同様である。回収装置Ｂおよび回収装置Ｃのトラクタを長時間走行させ、泥水回収量および細粒子回収量を測定した。その結果を図９および図１０に示す。
【００４９】
図９，図１０に示すように、回収装置Ｃの泥水回収量および細粒子回収量は、回収装置Ｂの泥水回収量および細粒子回収量を大きく上回る結果となった。図９，図１０に示すような差は、回収装置Ｂの集水樋内に粗粒子が多量に堆積したことが原因となって生じたものである。回収装置Ｂの集水樋内においては、泥水の流れが阻害され、泥水が吸引されにくい状態となっていた。また、回収装置Ｂにおいては、泥水中の細粒子が粗粒子の堆積層に引っ掛かり、回収量が減少したと考えられる。
【００５０】
一方、回収装置Ｃにおいては、集水樋内において粗粒子の堆積がほとんどなく、回収装置の稼働当初と同様の回収能力を維持していた。実施例２に示すように、集水樋の底部にはスリットを設けた方が好ましい。
【実施例３】
【００５１】
回収装置Ｄと、回収装置Ｄの集水樋を周方向に３０°前転させた回収装置Ｅを用いて土壌粒子の回収実験を実施した。このときの細粒子回収比率および細粒子回収量を測定した。その結果を図１１および図１２に示す。
【００５２】
図１１に示すように、回収装置Ｅにおいては集水樋を３０°前転させたことにより、回収装置Ｄよりも細粒子回収比率がわずかに減少した。ただし、回収装置Ｅにおける細粒子回収比率は、従来の回収装置における細粒子回収比率（上記表１）よりも十分に高い。回収装置Ｅは、そのような高い細粒子回収比率を有しつつ、集水樋を３０°前転させることによって集水樋内への泥水の流入量を増やすことができる。このため、図１２に示すように、回収装置Ｅでは、回収装置Ｄの約３倍の細粒子を回収することができた。
【００５３】
実施例３で示すように、集水樋を周方向に回転させる回転機構を設けることにより、回転樋を適切な角度に設定することができ、粗粒子の回収比率を従来よりも下げつつ、細粒子の回収量を大幅に増やすことができる。
【実施例４】
【００５４】
回収装置Ｂと、回収装置Ｂの整流カバーを下ろした状態の回収装置Ｄを用いて土壌粒子の回収実験を実施した。なお、整流カバーには整流口と除草フィンが設けられている。回収装置Ｂおよび回収装置Ｄのトラクタを走行させ、吸引された泥水の後処理設備に配置される礫取タンクの除草回収量を測定した。その結果を図１３に示す。また、回収した土壌粒子中の細粒子の比率についても測定した。その結果を図１４に示す。
【００５５】
図１３に示すように、回収装置Ｄでは除草フィンに植物残渣が引っ掛かり、礫取タンクにおける除草回収量が少なくなった。また、図１４に示すように、回収装置Ｄの細粒子回収比率は、回収装置Ｂの細粒子回収比率よりも大きくなった。このような細粒子回収比率に差が生じた理由は、回収装置Ｄにおいては、除草フィンで植物残渣が除去されたことにより、植物残渣に付着する粗粒子の回収量が減少したためである。また、整流口により代掻き機後方の泥水の乱れが抑制されたことによって、粗粒子が底面に沈降しやすくなり、粗粒子の回収量が減少したことも理由である。
【００５６】
実施例４によれば、整流口および除草フィンの少なくともいずれか一方を有する整流カバーを設けることにより、細粒子の回収比率を更に向上させることができる。即ち、粗粒子の回収比率を更に下げることができ、分級装置や脱水装置等を更に小型化することも可能となる。
【産業上の利用可能性】
【００５７】
本発明は、農地土壌に含まれる汚染物質の回収作業に適用することができる。
【符号の説明】
【００５８】
１      回収装置
２      集水樋
２ａ    集水樋の開口部
２ｂ    集水樋のスリット
３      キャップ
４      サポート部材
４ａ    サポート部材のピン穴
５      サポートパイプ
６      第１アーム
６ａ    第１アームのピン穴
７      ブラケット
８      第２アーム
９      中央パイプ
１０    アーム連結パイプ
１０ａ  アーム連結パイプのピン穴
１１    油圧シリンダー
２０    トラクタ
３０    代掻き機
３１    攪拌レーキ
３２    整流カバー
３２ａ  整流口
３３    スプリング
３４    除草フィン
４０    吸引装置
４１    吸引管
４２    吸引ホース
４３    真空吸引器
Ｃ      周方向
ＨＬ    開口部の下端
ＨＵ    開口部の上端
Ｐ      集水樋の最下点
Ｔ      トラクタの走行方向
Ｗ      幅方向
【図１】
0006508822.tif 000003
【図２】
0006508822.tif 000004
【図３】
0006508822.tif 000005
【図４】
0006508822.tif 000006
【図５】
0006508822.tif 000007
【図６】
0006508822.tif 000008
【図７】
0006508822.tif 000009
【図８】
0006508822.tif 000010
【図９】
0006508822.tif 000011
【図１０】
0006508822.tif 000012
【図１１】
0006508822.tif 000013
【図１２】
0006508822.tif 000014
【図１３】
0006508822.tif 000015
【図１４】
0006508822.tif 000016